(57)【特許請求の範囲】
【請求項１】
脈波を時間的に連続して検出する検出部と、
第１生体情報を間欠的に測定する測定部と、
前記第１生体情報に基づいて前記脈波から第２生体情報を算出する算出部と、
前記第１生体情報の測定中に、体動が発生したか、脈波が不規則であるか、及び血圧値に変動があるかに基づいて、前記測定部の測定結果が正常であるかを判定する校正血圧判定部と、
を備え、
正常であると判定されない場合には、前記測定部は測定を一旦中止し、ある期間経過した後に測定を再開し、それ以外の場合である、前記体動が発生せず、前記脈波が不規則でなく、かつ前記血圧値に変動がない場合には前記測定部は測定を継続する生体情報測定装置。
【請求項２】
センサ装置と校正装置とを備える生体情報測定装置であって、
前記校正装置は、
第１生体情報を間欠的に測定する測定部と、
前記第１生体情報を含むデータを前記センサ装置へ送信する送信部と、を備え、
前記センサ装置は、
脈波を時間的に連続して検出する検出部と、
前記第１生体情報を受信する受信部と、
前記第１生体情報に基づいて前記脈波から第２生体情報を算出する算出部と、
前記第１生体情報の測定中に、体動が発生したか、脈波が不規則であるか、及び血圧値に変動があるかに基づいて、前記測定部の測定結果が正常であるかを判定する校正血圧判定部と、を備え、
正常であると判定されない場合には、前記測定部は測定を一旦中止し、ある期間経過した後に測定を再開し、それ以外の場合である、前記体動が発生せず、前記脈波が不規則でなく、かつ前記血圧値に変動がない場合には前記測定部は測定を継続する生体情報測定装置。
【請求項３】
体動情報を検出する体動検出部をさらに備え、
前記算出部は、前記第１生体情報によって前記脈波を校正し、前記校正された脈波から第２生体情報を算出し、
前記校正血圧判定部は、
前記体動情報に基づいて、前記脈波を校正するより前に、前記第１生体情報の測定中の第１期間で体動が発生しているかを判定する体動判定部と、
前記脈波に基づいて、前記脈波を校正するより前に、前記第１生体情報の測定中の第２期間で脈波が不規則ではないかを判定する脈波判定部と、
前記第２生体情報に基づいて、前記脈波を校正するより前に、前記第１生体情報の測定中の第３期間で血圧値に変動がないかを判定する血圧判定部と、
を備え、
前記第１期間で体動が発生しておらず、かつ前記第２期間で脈波が不規則ではなく、かつ前記第３期間で血圧値に変動がないと判定された場合に、前記測定部は測定を継続する請求項１に記載の生体情報測定装置。
【請求項４】
前記算出部は、前記第１生体情報によって前記脈波を校正し、前記校正された脈波から第２生体情報を算出し、
前記センサ装置は、
前記校正装置の体動情報を検出する体動検出部をさらに備え、
前記校正血圧判定部は、
前記体動情報に基づいて、前記脈波を校正するより前に、前記第１生体情報の測定中の第１期間で体動が発生しているかを判定する体動判定部と、
前記脈波に基づいて、前記脈波を校正するより前に、前記第１生体情報の測定中の第２期間で脈波が不規則ではないかを判定する脈波判定部と、
前記第２生体情報に基づいて、前記脈波を校正するより前に、前記第１生体情報の測定中の第３期間で血圧値に変動がないかを判定する血圧判定部と、
を備え、
前記第１期間で体動が発生しておらず、かつ前記第２期間で脈波が不規則ではなく、かつ前記第３期間で血圧値に変動がないと判定された場合に、前記測定部は測定を継続する請求項２に記載の生体情報測定装置。
【請求項５】
前記第１期間で体動が発生していると判定されるか、前記第２期間で脈波が不規則であると判定されるか、または前記第３期間で血圧値に変動があると判定される場合に、前記測定部は測定を停止し、ある期間を経過した後に前記測定部の測定を開始する請求項３または４に記載の生体情報測定装置。
【請求項６】
前記体動検出部は加速度センサを含み、前記体動判定部は前記第１期間内で前記加速度センサが示す加速度が第１しきい値よりも大きい場合に体動が発生していると判定し、
前記脈波判定部は、前記第２期間内で前記脈波の振幅が第２しきい値よりも小さい期間がある時間より長く続いた場合に、脈波が不規則であると判定し、
前記血圧判定部は、前記脈波の振幅、収縮期血圧、及び拡張期血圧のそれぞれの拍単位での増減を測定し、増減が第３しきい値を超えた場合に、血圧値が変動していると判定する請求項３乃至５のいずれか１項に記載の生体情報測定装置。
【請求項７】
前記測定部は、前記検出部から得られる第２生体情報よりも精度よく第１生体情報を測定する請求項１乃至６のいずれか１項に記載の生体情報測定装置。
【請求項８】
前記検出部は、前記脈波を一拍ごとに検出し、
前記第１生体情報及び前記第２生体情報は血圧である請求項３乃至７のいずれか１項に記載の生体情報測定装置。
【請求項９】
脈波を時間的に連続して検出し、
第１生体情報を間欠的に測定し、
前記第１生体情報に基づいて前記脈波から第２生体情報を算出し、
前記第１生体情報の測定中に、体動が発生したか、脈波が不規則であるか、及び血圧値に変動があるかに基づいて、前記第１生体情報の測定結果が正常であるかを判定することを備え、
正常であると判定されない場合には、測定を一旦中止し、ある期間経過した後に測定を再開し、それ以外の場合である、前記体動が発生せず、前記脈波が不規則でなく、かつ前記血圧値に変動がない場合には測定を継続する生体情報測定方法。
【請求項１０】
センサ装置と校正装置とを備える生体情報測定装置での生体情報測定方法であって、
前記校正装置では、
第１生体情報を間欠的に測定し、
前記第１生体情報を含むデータを前記センサ装置へ送信することを備え、
前記センサ装置では、
脈波を時間的に連続して検出し、
前記第１生体情報を受信し、
前記第１生体情報に基づいて前記脈波から第２生体情報を算出し、
前記第１生体情報の測定中に、体動が発生したか、脈波が不規則であるか、及び血圧値に変動があるかに基づいて、前記第１生体情報の測定結果が正常であるかを判定することを備え、
正常であると判定されない場合には、測定を一旦中止し、ある期間経過した後に測定を再開し、それ以外の場合である、前記体動が発生せず、前記脈波が不規則でなく、かつ前記血圧値に変動がない場合には測定を継続する生体情報測定方法。
【請求項１１】
コンピュータを、請求項１乃至８のいずれか１項に記載の生体情報測定装置として機能させるためのプログラム。
【発明の詳細な説明】
【技術分野】
【０００１】
この発明は、生体情報を連続測定する生体情報測定装置、方法及びプログラムに関する。
【背景技術】
【０００２】
生体情報を活用して早期に生体の異変を察知して治療に役立てることは、センサ技術の発展に伴い、高性能なセンサが容易に利用できる環境になり医療における重要性も次第に増してきている。  
手首の橈骨動脈等の動脈が通る生体部位に圧力センサを直接接触させた状態で、この圧力センサにより検出される情報を用いて脈拍や血圧等の生体情報を測定することのできる生体情報測定装置が知られている（例えば日本国特開２００４−１１３３６８号公報参照）。【０００３】
日本国特開２００４−１１３３６８号公報に記載の血圧測定装置は、圧力センサを接触させる生体部位とは別の部位において、カフを用いて血圧値を算出し、算出した血圧値から校正データを生成する。そして、圧力センサにより検出される圧脈波をこの校正データを用いて校正することで、一拍ごとに血圧値を算出している。
【発明の概要】
【０００４】
しかし、日本国特開２００４−１１３３６８号公報に記載の血圧測定装置では、装置が大型で測定の精度を上げることが難しい。また、限定した環境で行う、かつ特定の人が操作することが前提のため、日常の診療や在宅で使用することは困難である。さらに、この血圧測定装置は、チューブや配線が多くわずらわしくて、日常や睡眠中に使用することは現実的ではない。
【０００５】
また、校正用の血圧装置が正常に測定できているかは確実ではない。例えば、校正中に脈波が不規則になり血圧に影響を与えることがある。
【０００６】
この発明は上記事情に着目してなされたもので、その目的とするところは、常時装着して時間的に連続して生体情報を校正しつつ正確な情報を取得することができる生体情報測定装置、方法及びプログラムを提供することにある。
【０００７】
上記課題を解決するためにこの発明の第１の態様は、生体情報測定装置であって、脈波を時間的に連続して検出する検出部と、第１生体情報を間欠的に測定する測定部と、前記第１生体情報に基づいて前記脈波から第２生体情報を算出する算出部と、前記測定部の測定結果が正常であるかを判定する校正血圧判定部と、を備え、正常であると判定されない場合には、前記測定部は測定を一旦中止し、ある期間経過した後に測定を再開するものである。
【０００８】
この発明の第２の態様は、センサ装置と校正装置とを備える生体情報測定装置であって、前記校正装置は、第１生体情報を間欠的に測定する測定部と、前記第１生体情報を含むデータを前記センサ装置へ送信する送信部と、を備え、前記センサ装置は、脈波を時間的に連続して検出する検出部と、前記第１生体情報を受信する受信部と、前記第１生体情報に基づいて前記脈波から第２生体情報を算出する算出部と、前記測定部の測定結果が正常であるかを判定する校正血圧判定部と、を備え、正常であると判定されない場合には、前記測定部は測定を一旦停止し、ある期間経過した後に測定を再開するものである。
【０００９】
この発明の第３の態様は、体動情報を検出する体動検出部をさらに備え、前記算出部は、前記第１生体情報によって前記脈波を校正し、前記校正された脈波から第２生体情報を算出し、前記校正血圧判定部は、
前記体動情報に基づいて、前記脈波を校正するより前に、前記第１生体情報の測定中の第１期間で体動が発生しているかを判定する体動判定部と、前記脈波に基づいて、前記脈波を校正するより前に、前記第１生体情報の測定中の第２期間で脈波が不規則ではないかを判定する脈波判定部と、前記第２生体情報に基づいて、前記脈波を校正するより前に、前記第１生体情報の測定中の第３期間で血圧値に変動がないかを判定する血圧判定部と、を備え、前記第１期間で体動が発生しておらず、かつ前記第２期間で脈波が不規則ではなく、かつ前記第３期間で血圧値に変動がないと判定された場合に、前記測定部は測定し続けるものである。
【００１０】
この発明の第４の態様は、前記算出部は、前記第１生体情報によって前記脈波を校正し、前記校正された脈波から第２生体情報を算出し、前記センサ装置は、前記校正装置の体動情報を検出する体動検出部をさらに備え、前記校正血圧判定部は、前記体動情報に基づいて、前記脈波を校正するより前に、前記第１生体情報の測定中の第１期間で体動が発生しているかを判定する体動判定部と、前記脈波に基づいて、前記脈波を校正するより前に、前記第１生体情報の測定中の第２期間で脈波が不規則ではないかを判定する脈波判定部と、前記第２生体情報に基づいて、前記脈波を校正するより前に、前記第１生体情報の測定中の第３期間で血圧値に変動がないかを判定する血圧判定部と、を備え、前記第１期間で体動が発生していないこと、前記第２期間で脈波が不規則ではないこと、及び前記第３期間で血圧値に変動がないことのうちの少なくとも１つが判定された場合に、前記測定部は測定し続けるものである。
【００１１】
この発明の第５の態様は、第１期間で体動が発生していると判定されるか、第２期間で脈波が不規則であると判定されるか、または第３期間で血圧値に変動があると判定される場合に、前記測定部は測定を停止し、ある期間を経過した後に前記測定部の測定を開始するものである。
【００１２】
この発明の第６の態様は、前記体動検出部は加速度センサを含み、前記体動判定部は前記第１期間内で前記加速度センサが示す加速度が第１しきい値よりも大きい場合に体動が発生していると判定し、前記脈波判定部は、前記第２期間内で前記脈波の振幅が第２しきい値よりも小さい期間がある時間より長く続いた場合に、脈波が不規則であると判定し、前記血圧判定部は、前記脈波の振幅、収縮期血圧、及び拡張期血圧のそれぞれの拍単位での増減を測定し、増減が第３しきい値を超えた場合に、血圧値が変動していると判定するものである。
【００１３】
この発明の第７の態様は、前記測定部は、前記検出部から得られる第２生体情報よりも精度よく第１生体情報を測定するものである。
【００１４】
この発明の第８の態様は、前記検出部は、前記脈波を一拍ごとに検出し、前記第１生体情報及び前記第２生体情報は血圧であるものである。
【００１５】
この発明の第１の態様によれば、脈波を時間的に連続して検出する検出部と、生体情報を間欠的に測定する測定部とにより、生体情報測定装置がコンパクトになっているので、容易に装着して測定することができてユーザにとって利便性が大きい。また、測定部は間欠的に測定するのみなので、測定部がユーザを干渉する時間が少なくなる。さらに、測定結果が正常であるかを判定することによって、測定部が第１生体情報の測定を継続するか測定を一旦中止し、所定後に測定を再開するかを決定する。この結果、脈波の正確な校正ができる。
【００１６】
この発明の第２の態様によれば、センサ装置は、脈波を時間的に連続して検出する検出部を備えていて、センサ装置が校正装置と分離されているので、センサ装置はコンパクトになっていてより確実に脈波を取得できる位置にセンサを配置しやすくなる。校正装置は、第１生体情報を間欠的に測定し、脈波から精度のよい生体情報を算出することが可能になり、高精度の生体情報をユーザが簡単に得ることが可能になる。また、測定部は間欠的に測定するのみなので、測定部がユーザを干渉する時間が少なくなる。さらに、校正装置も独立しているので、センサ装置の配置に依存することなく、校正しやすい位置に容易に設定することができる。また、測定部の測定結果が正常であるかを判定し、測定部が第１生体情報の測定を継続するか測定を一旦中止し、所定後に測定を再開するかを決定する。この結果、脈波の正確な校正ができる。
【００１７】
この発明の第３の態様によれば、脈波を時間的に連続して検出する検出部と、生体情報を間欠的に測定する測定部とにより、生体情報測定装置がコンパクトになっているので、容易に装着して測定することができてユーザにとって利便性が大きい。また、測定部は間欠的に測定するのみなので、測定部がユーザを干渉する時間が少なくなる。さらに、第１生体情報の測定中の第１期間で体動が発生しているかを判定し、第１生体情報の測定中の第２期間で脈波が不規則ではないかを判定し、第２生体情報に基づいて、前記第１生体情報の測定中の第３期間で血圧値に変動がないかを判定することによって、測定部が第１生体情報の測定を継続するか中止するかを決定する。この結果、脈波の正確な校正ができる。
【００１８】
この発明の第４の態様によれば、センサ装置は、脈波を時間的に連続して検出する検出部と、前記脈波を含むデータを校正装置へ送信する送信部と、を備えていて、センサ装置が校正装置と分離されているので、センサ装置はコンパクトになっていてより確実に脈波を取得できる位置にセンサを配置しやすくなる。校正装置は、第１生体情報を間欠的に測定し、センサ装置からデータを受信し、第１生体情報によって脈波を校正し、校正された脈波から第２生体情報を算出し、測定部が測定した生体情報に基づいて脈波を校正するので、脈波から精度のよい生体情報を算出することが可能になり、高精度の生体情報をユーザが簡単に得ることが可能になる。また、測定部は間欠的に測定するのみなので、測定部がユーザを干渉する時間が少なくなる。さらに、校正装置も独立しているので、センサ装置の配置に依存することなく、校正しやすい位置に容易に設定することができる。また、第１生体情報の測定中の第１期間で体動が発生しているかを判定し、第１生体情報の測定中の第２期間で脈波が不規則ではないかを判定し、第２生体情報に基づいて、前記第１生体情報の測定中の第３期間で血圧値に変動がないかを判定することによって、測定部が第１生体情報の測定を継続するか中止するかを決定する。この結果、脈波の正確な校正ができる。
【００１９】
この発明の第５の態様によれば、体動が発生していると判定されるか、脈波が不規則であると判定されるか、または血圧値に変動がないと判定されるかのいずれかが判定されると、校正には不適格な状態であると判定して測定部は測定を停止し、脈波の精度の悪い校正をすることを回避することができる。さらに停止しある期間を経過した後に測定部が測定を開始して校正を開始して、適正な校正ができるまで測定部の停止と時間経過後の校正を繰り返すので、正確な校正に到達することができる。
【００２０】
この発明の第６の態様によれば、加速度センサが示す加速度が第１しきい値よりも大きい場合に体動が発生していると判定し、脈波の振幅が第２しきい値よりも小さい期間がある時間より長く続いた場合に、脈波が不規則であると判定し、脈波の振幅、収縮期血圧、及び拡張期血圧のそれぞれの拍単位での増減を測定し、増減が第３しきい値を超えた場合に、血圧値が変動していると判定することにより、校正動作を続けるか停止してある時間経過後に再開するかを判定するための正確な判定ができる。この結果、正確な校正に到達することができる。
【００２１】
この発明の第７の態様によれば、検出部から得られる第２生体情報よりも精度よく第１生体情報を測定することにより、精度の良い生体情報を測定部から得て校正することにより、検出部からの脈波を基にして得られる生体情報の精度が確保できるので、時間的に連続して精度良く生体情報を算出することが可能になる。
【００２２】
この発明の第８の態様によれば、検出部は前記脈波を一拍ごとに検出し、第１生体情報及び第２生体情報は血圧であるので、生体情報測定装置は脈波一拍ごとに血圧を時間的に連続して測定することができる。
【００２３】
すなわちこの発明の各態様によれば、常時装着して時間的に連続して生体情報を校正しつつ正確な情報を取得することができる生体情報測定装置、方法及びプログラムを提供することができる。
【図面の簡単な説明】
【００２４】
【図１】図１は、実施形態に係る一体型の血圧測定装置を示すブロック図である。
【図２】図２は、図１の血圧測定装置を手首に装着した一例を示す図である。
【図３】図３は、図１の血圧測定装置を手首に装着した別例を示す図である。
【図４】図４は、オシロメトリック法でのカフ圧及び脈波信号の時間経過を示す図である。
【図５】図５は、一拍ごとの脈圧の時間変化とそのうちの１つの脈波を示す図である。
【図６】図６は、第１の校正手法を示すフローチャートである。
【図７】図７は、実施形態に係る分離型の血圧測定装置を示すブロック図である。
【図８】図８は、図１または図７の血圧測定装置の校正のための血圧測定を継続するかを判定するフローチャートである。
【発明を実施するための形態】
【００２５】
以下、図面を参照してこの発明に係る実施形態の生体情報測定装置、方法及びプログラムを説明する。なお、以下の実施形態では、同一の番号を付した部分については同様の動作を行うものとして、重ねての説明を省略する。
（一体型）  
本実施形態に係る生体情報測定装置の一例である血圧測定装置１００について図１、図２、及び図３を参照して説明する。図１は、血圧測定装置１００の機能ブロック図であり、脈波検出部１１０と血圧校正部１５０との詳細を示している。図２は、血圧測定装置１００を手首に装着した一例を示す図であり、手のひらの上方から見た概略透視図である。圧脈波センサ１１１は、脈波検出部１１０の手首側に配置されている。図３は、血圧測定装置１００が装着されるイメージ図であり、手のひらを横（手を広げた場合の指が並ぶ方向）からみた概略透視図である。図３は、圧脈波センサ１１１が橈骨動脈に直交して配置されている一例を示している。図３は血圧測定装置１００が腕の手のひら側の腕に載せられているだけのように見えるが、実際は血圧測定装置１００は腕に巻き付いている。
【００２６】
血圧測定装置１００は、脈波検出部１１０、接続部１３０、及び血圧校正部１５０を含んでいる。脈波検出部１１０は、圧脈波センサ１１１、及び押圧部１１３を含む。血圧校正部１５０は、脈波測定部１８１、ポンプ及び弁１５２、圧力センサ１５３、校正部１５４、血圧測定部１５５、ポンプ及び弁１５６、圧力センサ１５７、カフ１５８、血圧算出部１５９、記憶部１６０、電源部１６１、表示部１６２、操作部１６３、時計部１６４、脈波判定部１７１、血圧判定部１７２、体動判定部１７３、及び加速度センサ１７４を含む。なお、脈波判定部１７１、血圧判定部１７２、及び体動判定部１７３は、まとめて校正血圧判定部と称することがある。
【００２７】
血圧測定装置１００は環状になっていて、手首等にブレスレットのように巻き付き血圧を測定する。脈波検出部１１０は、図２及び図３に示すように、血圧校正部１５０よりも手首の手のひらに近い側に配置される。換言すれば、脈波検出部１１０は血圧校正部１５０よりもひじから遠い位置に配置される。本実施形態では、圧脈波センサ１１１が橈骨動脈上に位置するように脈波検出部１１０が配置され、この配置に伴い脈波検出部１１０よりもひじに近い側に血圧校正部１５０が配置される。接続部１３０は、脈波検出部１１０と血圧校正部１５０とを物理的に接続していて、互いの測定を干渉しないように、例えば衝撃吸収材でできている。
【００２８】
脈波検出部１１０の腕の延伸方向の長さＬ１は、血圧校正部１５０の延伸方向の長さＬ２よりも小さく設定される。脈波検出部１１０の腕の延伸方向の長さＬ１は、４０ｍｍ以下に設定され、より理想的には１５〜２５ｍｍである。また、脈波検出部１１０の腕の延伸方向に垂直な方向の長さＷ１は４〜５ｃｍに設定され、血圧校正部１５０の延伸方向に垂直な方向の長さＷ２は６〜７ｃｍに設定される。また、長さＷ１と長さＷ２は、０（または０．５）ｃｍ＜Ｗ２−Ｗ１＜２ｃｍの関係にある。この関係によりＷ２が長過ぎないように設定され、周囲と干渉しにくくなる。脈波検出部１１０がこの程度の幅に収まることにより、血圧校正部１５０がより手のひら側に配置され、脈波を検知しやすくなり、測定精度を保つことができる。
【００２９】
圧脈波センサ１１１は、圧脈波を時間的に連続して検出する。例えば、圧脈波センサ１１１は一拍ごとに圧脈波を検出する。圧脈波センサ１１１は、図２のように手のひら側に配置され、通常は図３のように腕の延伸方向に平行して配置され、腕の延伸方向に直交して複数のセンサが配置されている。圧脈波センサ１１１によって、心拍に連動して変化する血圧値（血圧波形）の時系列データを得ることができる。なお、脈波測定部１８１が圧脈波センサ１１１から圧脈波を受け取った時刻を時計部１６４から取得することで、圧脈波センサ１１１が圧脈波を検出した時刻を推定することができる。
【００３０】
押圧部１１３は、空気袋であり圧脈波センサ１１１のセンサ部分を手首に押圧してセンサの感度を上げることができる。
【００３１】
脈波測定部１８１は、圧脈波センサ１１１から時刻と共に圧脈波のデータを受け取り、このデータを記憶部１６０及び血圧算出部１５９へ渡す。また、脈波測定部１８１は、ポンプ及び弁１５２と圧力センサ１５３とを駆動及び制御して押圧部１１３を加圧または減圧して、圧脈波センサ１１１を手首の橈骨動脈を押しつけるように調整する。
【００３２】
ポンプ及び弁１５２は、脈波測定部１８１からの指示で押圧部１１３を加圧または減圧する。圧力センサ１５３は、押圧部１１３の圧力をモニタして押圧部１１３の圧力値を脈波測定部１８１に知らせる。ここでは、ポンプ及び弁１５２、及び圧力センサ１５３は血圧校正部１５０のみに設置されているが、脈波検出部１１０にこれらの駆動及び制御する部と共に設置してもよい。この場合は、気体を通して圧力を調整するための管を脈波検出部１１０と血圧校正部１５０との間に通す必要がなくなる。
【００３３】
血圧測定部１５５は、生体情報である血圧を、圧脈波センサ１１１よりも高精度で測定する。血圧測定部１５５は、例えば、時間的に連続ではなく間欠的に血圧を測定しその値を、記憶部１６０を介して校正部１５４に渡す。血圧測定部１５５は例えば、オシロメトリック法を使用して血圧を測定する。また、血圧測定部１５５は、ポンプ及び弁１５６と圧力センサ１５７とを制御し、カフ１５８を加圧または減圧して血圧を測定する。血圧測定部１５５は、収縮期血圧を測定した時刻と共に収縮期血圧と、拡張期血圧を測定した時刻と共に拡張期血圧と、を記憶部１６０へ渡す。なお、収縮期血圧はＳＢＰ（systolic blood pressure）、拡張期血圧はＤＢＰ（diastolic blood pressure）とも称する。
【００３４】
記憶部１６０は、脈波測定部１８１から検出時刻と共に圧脈波のデータを順次取得して記憶し、血圧測定部１５５からはこの測定部が動作した際に取得した、ＳＢＰの測定時刻と共にＳＢＰと、ＤＢＰの測定時刻と共にＤＢＰと、を取得し記憶する。
【００３５】
校正部１５４は、血圧測定部１５５が測定時刻と共に測定したＳＢＰ及びＤＢＰと、脈波測定部１８１が測定時刻と共に測定した圧脈波のデータとを記憶部１６０から取得する。校正部１５４は、血圧測定部１５５からの血圧値によって、脈波測定部１８１からの圧脈波を校正する。校正部１５４が行う校正の手法はいくつか考えられるが、校正の手法について詳細を後に図６を参照して説明する。
【００３６】
血圧算出部１５９は、校正部１５４からの校正手法を受け取り、脈波測定部１８１からの圧脈波データを校正して圧脈波データから得られた血圧データを測定時刻と共に記憶部１６０に記憶させる。
【００３７】
電源部１６１は、脈波検出部１１０及び血圧校正部１５０の各部へ電源を供給する。  
表示部１６２は、血圧測定結果を表示したり、各種の情報をユーザに表示する。表示部１６２は例えば、記憶部１６０からのデータを受け取りデータの内容を表示する。例えば、表示部１６２は圧脈波データを測定時刻と共に表示する。ここでは、表示部１６２は血圧校正部１５０のみに設置されているが、脈波検出部１１０に表示部１６２が設置されてもよい。この場合は例えば、脈波検出部１１０では測定した血圧値をリアルタイムに表示し、血圧校正部１５０は前回の校正時の血圧値を表示したり現在の電源の容量を表示する。この結果、ユーザは多くの情報を表示部から得ることが可能になる。
操作部１６３はユーザからの操作を受け付ける。操作部１６３には例えば、血圧測定部１５５に測定を開始させるための操作ボタン、校正を行うための操作ボタンがある。ここでは、操作部１６３は血圧校正部１５０のみに設置されているが、脈波検出部１１０に操作部１６３が設置されてもよい。  
時計部１６４は時刻を生成し必要とする部に供給する。例えば、記憶部１６０は記憶するデータと共に時刻も記録する。
【００３８】
校正血圧判定部は、校正用の血圧校正部１５０の測定結果が正常であるかを判定する。また、校正血圧判定部は、脈波判定部１７１、血圧判定部１７２、体動判定部１７３のうちの少なくともいずれか１つを含んでもよい。  
脈波判定部１７１は、脈波測定部１８１から脈波を受け取り、ある期間（Ｐ２）に脈波が不規則であるかを判定する。脈波が不規則とは、脈波が規則的ではないことであり、具体的には脈波の物理量が時間に関して規則的ではないことである。本実施形態では例えば、期間中に脈波が抜けることが起きた場合に、脈波が不規則であるとする。より具体的には、脈波の振幅がゼロもしくはゼロに近い値になった時間がある期間続く場合に、脈波が不規則である、とする。実際の装置では、期間中に脈波の振幅があるしきい値よりも小さくなった場合で、かつ、このしきい値が振幅よりも著しく低い値であり、かつ、振幅があるしきい値よりも小さい期間がある時間より長く続いた条件を満たした場合に、脈波が不規則である、とする。このしきい値は例えば、振幅の半分もしくは振幅の１／３に設定する。
【００３９】
血圧判定部１７２は、記憶部１６０から校正された脈波から得られる血圧値を一拍ごとに受け取り、ある期間（Ｐ３）に血圧値が変動しているかを判定する。血圧値が変動しているとは、ある期間中に血圧値がある範囲内に収まっていないことである。本実施形態では例えば、脈波の振幅、ＳＢＰ、及びＤＢＰの期間中のそれぞれの前回の拍からの増減を観測し、その増減がしきい値を超えた場合に、血圧値が変動している、とする。他の定義としては、例えば、脈波が不規則かを脈波判定部１７１が判定する以前の、脈波の振幅、ＳＢＰ、及びＤＢＰのそれぞれの平均値を求めておき、脈波判定部１７１が判定する期間中で脈波の振幅、ＳＢＰ、及びＤＢＰが予め求めてある平均値から著しく増減した場合に、血圧値が変動している、とする。
【００４０】
加速度センサ１７４は、血圧校正部１５０の加速度を測定し、時刻とその時刻での加速度とを出力する（すなわち、加速度の時系列データを出力）。加速度センサ１７４は例えば、３軸に関して加速度を測定し加速度の時系列データを得る。  
体動判定部１７３は、加速度センサ１７４からの加速度の時系列データを受け取り、ある期間（Ｐ１）で体動が発生しているかを判定する。本実施形態では、体動が発生しているとは、ある期間中に加速度があるしきい値よりも大きいことであるとする。本実施形態では例えば、加速度センサ１７４の３軸の加速度の時系列データを取得して、加速度センサ１７４の１つ以上の軸での加速度がしきい値よりも大きい場合に、体動が発生しているとする。
【００４１】
脈波判定部１７１、血圧判定部１７２、及び体動判定部１７３の出力は、表示部１６２に表示してもよい。また、脈波判定部１７１、血圧判定部１７２、及び体動判定部１７３の判定は、後に図８に示すような校正動作の制御に使用される。
【００４２】
なお、ここで説明した脈波測定部１８１、校正部１５４、血圧算出部１５９、血圧測定部１５５、脈波判定部１７１、血圧判定部１７２、及び体動判定部１７３は、実装の際には例えば、それぞれの部に含まれる２次記憶装置に上述した動作を実行するためのプログラムを記憶しておき、そのプログラムを中央演算装置（ＣＰＵ）が読み込み演算を実行する。なお、２次記憶装置は、例えばハードディスクであるが記憶できる装置であれば何でもよく、半導体メモリ、磁気記憶装置、光学記憶装置、光磁気ディスク、及び相変化記録技術を応用した記憶装置がある。
【００４３】
次に、校正部１５４が校正する前に脈波測定部１８１及び血圧測定部１５５が行う内容について図４、図５を参照して説明する。図４は、オシロメトリック法での血圧測定でのカフ圧の時間変化と脈波信号の大きさの時間変化を示す。図４は、カフの圧力の時間変化と脈波信号の時間変化とを示していて、時間と共にカフ圧が上がり、そのカフ圧上昇に伴い脈波信号の大きさが徐々に上昇し最大値になって徐々に減少していること示している。図５は、一拍ごとの脈圧を測定した際に脈圧の時系列データを示している。また、図５はそのうちの１つの圧脈波の波形を示している。
【００４４】
まず、図４を参照して血圧測定部１５５がオシロメトリック法により血圧測定を行うときの動作について簡単に説明する。なお、血圧値の算出は、加圧過程に限らず、減圧過程において行われてもよいが、ここでは加圧過程のみ示す。
【００４５】
ユーザが血圧校正部１５０に設けられた操作部１６３によってオシロメトリック法による血圧測定を指示すると、血圧測定部１５５は動作を開始して、処理用メモリ領域を初期化する。また、血圧測定部１５５は、ポンプ及び弁１５６のポンプをオフし弁を開いて、カフ１５８内の空気を排気する。続いて、圧力センサ１５７の現時点の出力値を大気圧に相当する値として設定する制御を行う（０ｍｍＨｇ調整）。
【００４６】
続いて、血圧測定部１５５は、圧力制御部として働いて、ポンプ及び弁１５６の弁を閉鎖し、その後ポンプを駆動して、カフ１５８に空気を送る制御を行う。これにより、カフ１５８を膨張させると共にカフ圧（図４のＰｃ）を徐々に増大させ加圧していく。この加圧過程で、血圧測定部１５５は、血圧値を算出するために、圧力センサ１５７によって、カフ圧Ｐｃをモニタし、被測定部位の手首の橈骨動脈で発生する動脈容積の変動成分を、図４に示すような脈波信号Ｐｍとして取得する。
【００４７】
次に、血圧測定部１５５は、この時点で取得されている脈波信号Ｐｍに基づいて、オシロメトリック法により公知のアルゴリズムを適用して血圧値（ＳＢＰとＤＢＰ）の算出を試みる。また、この時点でデータ不足のために未だ血圧値を算出できない場合は、カフ圧Ｐｃが上限圧力（安全のために、例えば３００ｍｍＨｇというように予め定められている（正確にはこの値は加圧値））に達していない限り、上記と同様の加圧処理を繰り返す。
このようにして血圧値の算出ができたら、血圧測定部１５５は、ポンプ及び弁１５６のポンプを停止し弁を開いて、カフ１５８内の空気を排気する制御を行う。そして最後に、血圧値の測定結果を校正部に渡す。
【００４８】
次に、脈波測定部１８１が一拍ごとの脈波を測定することについて図５を参照して説明する。脈波測定部１８１は例えば、トノメトリ法によって脈波を測定する。  
脈波測定部１８１は、圧脈波センサ１１１が最適な測定を実現するために予め決めておいた最適押圧力となるようにポンプ及び弁１５２と圧力センサ１５３とを制御し、押圧部１１３の内圧を最適押圧力まで増加させて保持する。次に脈波測定部１８１は、圧脈波センサ１１１により圧脈波が検出されると、脈波測定部１８１はこの圧脈波を取得する。
【００４９】
圧脈波は、図５に示すような波形として一拍ごとに検出され、それぞれの圧脈波が連続して検出される。図５の圧脈波５００が一拍の圧脈波であり、５０１の圧力値がＳＢＰに対応し５０２の圧力値がＤＢＰに対応する。図５の圧脈波の時系列に示されるように通常、圧脈波ごとにＳＢＰ５０３及びＤＢＰ５０４は変動している。
【００５０】
次に、校正部１５４の動作について図６を参照して説明する。  
校正部１５４は、血圧測定部１５５が測定した血圧値を利用して、脈波測定部１８１が検出した圧脈波を校正する。すなわち、校正部１５４によって、脈波測定部１８１が検出した圧脈波の最大値５０１及び最小値５０２の血圧値を決定する。
【００５１】
（校正手法）  
脈波測定部１８１が圧脈波の圧脈波データの記録を開始し、順次この圧脈波データを記憶部１６０に記憶してゆく（ステップＳ６０１）。その後、例えば、ユーザが操作部１６３を使用して血圧測定部１５５を起動させオシロメトリック法による測定を開始させる（ステップＳ６０２）。血圧測定部１５５が脈波信号Ｐｍに基づいて、オシロメトリック法によりＳＢＰ及びＤＢＰを検出したＳＢＰデータ及びＤＢＰデータをそれぞれ記録し、これらのＳＢＰデータ及びＤＢＰデータを記憶部１６０に記憶する（ステップＳ６０３）。
【００５２】
校正部１５４がＳＢＰデータ及びＤＢＰデータに対応する圧脈波を圧脈波データから取得する（ステップＳ６０４）。校正部１５４が、ＳＢＰに対応する圧脈波の最大値５０１と、ＤＢＰに対応する圧脈波の最小値５０２とに基づき校正式を求める（ステップＳ６０５）。
【００５３】
（分離型）  
本実施形態に係る生体情報測定装置の一例である血圧測定装置７００について図７、図２、及び図３を参照して説明する。図７は、センサ装置７１０と校正装置７５０とが分離した血圧測定装置７００の機能ブロック図であり、センサ装置７１０と校正装置７５０との詳細を示している。図２は、血圧測定装置１００を手首に装着した一例を示す図であり、手のひらの上方から見た概略透視図であるが、図２及び図３の接続部１３０を除けば血圧測定装置７００でも同様である。圧脈波センサ１１１は、センサ装置７１０の手首側に配置されている。図３は、血圧測定装置１００が装着されるイメージ図であり、手のひらを横（手を広げた場合の指が並ぶ方向）から見た概略透視図であるが、図２及び図３の接続部１３０を除けば血圧測定装置７００でも同様である。図３は、圧脈波センサ１１１が橈骨動脈に直交して配置されている一例を示している。図３は血圧測定装置７００が腕の手のひら側の腕に載せられているだけのように見えるが、実際は血圧測定装置７００は腕に巻き付いている。図２及び図３は一体型と同様である。
【００５４】
血圧測定装置７００は、センサ装置７１０、及び校正装置７５０を含んでいる。センサ装置７１０は、圧脈波センサ１１１、時計部１１２、押圧部１１３、脈波測定部１１４、ポンプ及び弁１１５、圧力センサ１１６、通信部１１７、操作部１１８、表示部１１９、電源部１２０、血圧算出部１２１、校正部１２２、記憶部１２３、体動判定部７１１、加速度センサ７１２、血圧判定部７１３、及び脈波判定部７１４を含む。校正装置７５０は、電源部１６５、血圧測定部１５５、ポンプ及び弁１５６、圧力センサ１５７、カフ１５８、表示部１６２、操作部１６３、時計部１６４、通信部１５１、及び加速度センサ７５１を含む。
【００５５】
血圧測定装置７００は環状になっていて、手首等にブレスレットのように巻き付き、生体情報から血圧を測定する。センサ装置７１０は、図２及び図３に示すように、校正装置７５０よりも手首の手のひらに近い側に配置される。換言すれば、センサ装置７１０は校正装置７５０よりもひじから遠い位置に配置される。本実施形態では、圧脈波センサ１１１が橈骨動脈上に位置するようにセンサ装置７１０が配置され、この配置に伴いセンサ装置７１０よりもひじに近い側に校正装置７５０が配置される。また、センサ装置７１０と校正装置７５０は異なる腕に装着することも可能である。センサ装置７１０と校正装置７５０とは通常同一の高さに配置することが好ましい。さらに、センサ装置７１０と校正装置７５０とは心臓の高さに合わせて配置することが好ましい。
【００５６】
センサ装置７１０の腕の延伸方向の長さＬ１は、校正装置７５０の延伸方向の長さＬ２よりも小さく設定される。センサ装置７１０の腕の延伸方向の長さＬ１は、４０ｍｍ以下に設定され、より望ましくには１５〜２５ｍｍである。また、脈波検出部１１０の腕の延伸方向に垂直な方向の長さＷ１は４〜５ｃｍに設定され、校正装置７５０の延伸方向に垂直な方向の長さＷ２は６〜７ｃｍに設定される。また、長さＷ１と長さＷ２は、０（または０．５）ｃｍ＜Ｗ２−Ｗ１＜２ｃｍの関係にある。この関係によりＷ２が長過ぎないように設定され、周囲と干渉しにくくなる。センサ装置７１０がこの程度の幅に収まることにより、校正装置７５０がより手のひら側に配置され、脈波を検知しやすくなり、測定精度を保つことができる。しかし、校正装置７５０は上腕に配置して測定してもよい。
【００５７】
圧脈波センサ１１１、時計部１１２、及び押圧部１１３は、図１の一体型の脈波検出部１１０と同様である。また、分離型のセンサ装置７１０は、校正装置７５０と分離されているので、押圧部１１３を動作させるポンプ及び弁１１５及び圧力センサ１１６がセンサ装置７１０内に必要になる。さらにポンプ及び弁１１５及び圧力センサ１１６を制御する脈波測定部１１４もセンサ装置７１０内に必要になる。さらに、電源部１２０もセンサ装置７１０内に必要になる。また、操作部１１８及び表示部１１９もセンサ装置７１０に設置されていてもよい。
【００５８】
また表示部１１９も、血圧測定結果を表示したり、各種の情報をユーザに表示する。表示部１１９は例えば、脈波測定部１１４からのデータを受け取りデータの内容を表示する。例えば、表示部１１９は圧脈波データを測定時刻と共に表示する。
【００５９】
通信部１１７及び通信部１５１は、近距離で互いにデータをやり取りできる通信方式で通信する。これらの通信部は例えば、近距離無線通信方式を使用し、具体的にはブルートゥース（登録商標）、トランスファージェット（登録商標）、ジグビー（登録商標）、アイアールディーエイ（登録商標）などの通信方式がある。
【００６０】
ポンプ及び弁１１５は、脈波測定部１１４からの指示で押圧部１１３を加圧または減圧する。圧力センサ１１６は、押圧部１１３の圧力をモニタして押圧部１１３の圧力値を脈波測定部１１４に知らせる。
【００６１】
電源部１２０は、センサ装置７１０の各部へ電源を供給する。  
加速度センサ７１２は、センサ装置７１０の加速度を測定し、時刻とその時刻での加速度を出力する。加速度センサ７１２は加速度センサ７５１と同様に例えば、３つの空間軸であるｘ、ｙ、ｚ軸に関して加速度を測定し加速度の時系列データを得る。
【００６２】
また、操作部１１８はユーザからの操作を受け付ける。操作部１１８には例えば、脈波測定部１１４に測定を開始させるための操作ボタン、通信を開始または停止するための操作ボタンがある。
【００６３】
記憶部１２３は、センサ装置７１０の脈波測定部１１４から検出時刻と共に圧脈波のデータを順次取得して記憶し、血圧測定部１５５からはこの測定部が動作した際に取得した、ＳＢＰの測定時刻と共にＳＢＰと、ＤＢＰの測定時刻と共にＤＢＰと、を取得し記憶する。また、記憶部１２３は、測定した生体情報（連続血圧）算出に使用した校正用の第１生体情報（血圧測定部１５５が測定）の測定器である校正装置の型式情報および（または）固有識別情報を、測定した生体情報と関連付けて記録してゆく。この結果、測定した生体情報から、どの血圧計（型式や機器固有の番号）で校正したものか知ることが可能になる。
【００６４】
血圧算出部１２１は、校正部１２２からの校正手法を受け取り、脈波測定部１１４からの圧脈波データを校正して圧脈波データから得られた血圧データを測定時刻と共に記憶部１２３に記憶させる。
【００６５】
電源部１６５は、校正装置７５０の各部へ電源を供給する。  
操作部１６３はユーザからの操作を受け付ける。操作部１６３には例えば、血圧測定部１５５に測定を開始させるための操作ボタン、校正を行うための操作ボタン、通信を開始または停止するための操作ボタンがある。  
時計部１６４は時刻を生成し必要とする部に供給する。
【００６６】
脈波判定部７１４は、脈波測定部１１４から脈波を受け取る。その他は一体型での脈波判定部１７１と同様である。  
血圧判定部７１３は、一体型の血圧判定部１７２と同様である。  
加速度センサ７５１は、校正装置７５０の加速度を測定し、時刻とその時刻での加速度とを出力する（すなわち、加速度の時系列データを出力）。加速度センサ７５１も加速度センサ７１２と同様に３軸に関して加速度を測定し加速度の時系列データを得る。  
体動判定部７１１は、加速度センサ７５１と加速度センサ７１２からの加速度の時系列データを受け取り、ある期間（Ｐ１）で体動が発生しているかを判定する。本実施形態では、体動が発生しているとは、ある期間で加速度があるしきい値よりも大きいことであるとする。本実施形態では例えば、加速度センサ７５１及び加速度センサ７１２のそれぞれの３軸の加速度の時系列データを取得して、加速度センサ７５１及び加速度センサ７１２の１つ以上の軸での加速度がしきい値よりも大きい場合に、体動が発生しているとする。ここで、しきい値よりも加速度が大きくなる軸は、加速度センサ７５１と加速度センサ７１２とで異なっていてもよい。また、加速度センサ７５１及び加速度センサ７１２の値を採用するのではなく、どちらかの加速度センサの値のみを採用してもよい。この場合は、加速度センサ７５１または加速度センサ７１２の加速度センサの値を採用しない方は設置しなくてもよい。
【００６７】
なお、ここで説明した脈波測定部１１４、校正部１２２、血圧算出部１２１、及び血圧測定部１５５は、実装の際には例えば、それぞれの部に含まれる２次記憶装置に上述した動作を実行するためのプログラムを記憶しておき、そのプログラムを中央演算装置（ＣＰＵ）が読み込み演算を実行する。なお、２次記憶装置は、例えばハードディスクであるが記憶できる装置であれば何でもよく、半導体メモリ、磁気記憶装置、光学記憶装置、光磁気ディスク、及び相変化記録技術を応用した記憶装置がある。  
また、脈波測定部１１４、校正部１２２、血圧算出部１２１、血圧測定部１５５、体動判定部７１１、血圧判定部７１３、及び脈波判定部７１４が行う動作を実行するためのプログラムが、センサ装置及び校正装置とは別のサーバ等に記憶されて、そこでプログラムが実行されてもよい。この場合は、センサ装置が測定した脈波データと、校正装置が測定した生体情報である血圧データとをサーバに送信してサーバで校正して、サーバで脈波から血圧を得ることができる。この場合にはサーバで処理を行うため、処理速度が上がる可能性がある。さらに、脈波測定部１１４、校正部１２２、血圧算出部１２１、及び血圧測定部１５５の装置部分がセンサ装置と校正装置から除去されるので、それぞれの大きさが小さくなりセンサを正確に測定できる位置に容易に配置することができる。この結果、ユーザへの負担が下がり、簡易に正確な血圧測定を行うことにつながる。
【００６８】
次に、血圧校正部１５０及び校正装置７５０の血圧測定部１５５が作動して校正のための血圧測定（ここでは、オシロメトリック法を使用したもの）を行う際に、校正動作の継続、中止及び再開を判定する動作について図８を参照して説明する。なお、ここで校正動作とは、血圧測定部１５５が校正のために血圧を測定する動作のことを示す。また、図８は、図１の血圧校正部１５０に設置される脈波判定部１７１、血圧判定部１７２、及び体動判定部１７３が行う動作であり、また、センサ装置７１０に設置される体動判定部７１１、血圧判定部７１３、及び脈波判定部７１４が行う動作である。この判定部はセンサ装置７１０または校正装置７５０にあってもよいし、血圧測定装置７００の外にあるサーバ装置に必要な情報を入力し、図８に示す手順を行うプログラムを実行させてもよい。
【００６９】
まず血圧測定部１５５が校正のための血圧測定を開始したことを検出すると、加速度センサ７５１及び加速度センサ７１２（または加速度センサ１７４、以下括弧内は第１の実施形態に対応する部位を示す）が加速度を検出し、体動判定部７１１（または体動判定部１７３）へ加速度を渡す（ステップＳ８０１）。体動判定部７１１（または体動判定部１７３）は、ある決まった期間（Ｐ１）中に加速度がしきい値（ＴＨ１）よりも小さいかを判定する（ステップＳ８０２）。
【００７０】
加速度がＴＨ１よりも小さいと判定された場合には、引き続き校正動作を続け、脈波判定部７１４（脈波判定部１７１）が脈波を検出する（ステップＳ８０３）。脈波判定部７１４（脈波判定部１７１）は、ある決まった期間（Ｐ２）中に脈波が不規則でないかを判定する（ステップＳ８０４）。脈波判定部７１４（脈波判定部１７１）が脈波が不規則ではないと判定した場合には、引き続き校正動作を続け、血圧判定部７１３（血圧判定部１７２）が記憶部１２３（記憶部１６０）から脈波に基づく血圧値を一拍ごとに受け取る（ステップＳ８０５）。血圧判定部７１３（血圧判定部１７２）は、ある決まった期間（Ｐ３）中に血圧値の変動がないかを判定する（ステップＳ８０６）。血圧判定部７１３（血圧判定部１７２）が血圧値の変動がないと判定した場合には、引き続き校正動作を継続する（ステップＳ８０７）。
【００７１】
一方、ステップＳ８０２で加速度がある期間Ｐ１でしきい値ＴＨ１よりも大きくなり体動が発生していると判定された場合、または、ステップＳ８０４で脈波がある期間Ｐ２で不規則であると判定された場合、または、ステップＳ８０６である期間Ｐ３で血圧値に変動があると判定された場合には、ステップＳ８０９に進み校正動作を一旦中止する（ステップＳ８０９）。そして、ある期間（Ｐ０）後に校正動作を再開し（ステップＳ８１０）、ステップＳ８０１に戻る。ステップＳ８０８で校正動作が終了したと判定されない場合にはステップＳ８０１に戻り、校正動作が終了したと判定された場合にはこの動作は終了する。
【００７２】
ここでは、ステップＳ８０２、Ｓ８０４、及びＳ８０６は時間的に前後しているが、例えば、これらのステップは同一の期間でステップＳ８０１、Ｓ８０３、及びＳ８０５を行い、ほぼ同時にステップＳ８０２、Ｓ８０４、及びＳ８０６の判定を行ってもよい。
【００７３】
なお、このフローチャートは一例に過ぎず、例えば、ステップＳ８０２、ステップＳ８０４、及びステップＳ８０６のうちのいずれか１つがＹＥＳの場合にステップＳ８０７に進む、という動作でもよい。
【００７４】
また、血圧測定部１５５で測定開始する前に、図８のステップで測定してよいかどうかの判定をして、「ＯＫ」と判定した場合（ステップＳ８０７）には測定を開始し、ステップＳ８０２、Ｓ８０４、Ｓ８０６のいずれかでＮＯと判定した場合には測定を開始せず（または中断）し、ある時間経過後に再度リトライするとしてもよい。  
他に、血圧測定部１５５の測定結果が出たときに、測定中の血圧測定部１５５の圧脈波情報および加速度信号、場合によっては脈波の変動情報のうち少なくともどれか一つの情報により、校正値として「ＮＧ」と判断した場合（ステップＳ８０２、Ｓ８０４、Ｓ８０６のいずれかでＮＯと判定した場合）には、校正値として採用せず、ある時間経過後に再度リトライするとしてもよい。
【００７５】
以上の実施形態によれば、一体型では、脈波を時間的に連続して検出する脈波検出部と、生体情報（第１生体情報）を間欠的に測定する血圧測定部と、脈波検出部と血圧測定部とを物理的に接続して一体化する接続部により、生体情報測定装置がコンパクトになっているので、容易に測定することができてユーザにとって利便性が大きい。さらに、校正装置は、血圧測定部が測定した生体情報に基づいて脈波を校正するので、脈波から精度のよい生体情報を算出することが可能になり、高精度の生体情報をユーザが簡単に得ることが可能になる。また、血圧測定部は間欠的に測定するのみなので、血圧測定部がユーザを干渉する時間が少なくなる。
【００７６】
一方、分離型では、センサ装置と校正装置とが分離しているので、校正装置の位置合わせを考慮する必要が少なくなり、センサ装置の圧脈波センサを最適な位置に合わせて配置することができる。校正装置が測定した第１血圧値によって脈波を校正し、脈波から第２血圧値を算出するので、脈波から精度のよい生体情報を算出することが可能になり、高精度の生体情報をユーザが簡単に得ることが可能になる。さらに、校正装置も独立しているので、センサ装置の配置に依存することなく、校正しやすい位置に容易に設定することができる。センサ装置及び校正装置のどちらにも加速度センサと気圧センサとを備えてその時間履歴を比較することにより、センサ装置と校正装置の動きの履歴と高さの履歴が分かるので、センサ装置と校正装置との位置関係を推定することができる。その結果、センサ装置と校正装置とが正しく装着されているかどうかを判定することができる。
【００７７】
さらに、本実施形態の校正動作中の判定により、体動、不規則な脈波、及び変動する血圧の血圧を校正する上でノイズとなる要素をできるだけ排除することが可能になる。この結果、正しく望ましい血圧の校正を実現することができる。
【００７８】
上述の実施形態では、圧脈波センサ１１１は例えば、被測定部位（例えば、左手首）を通る橈骨動脈の圧脈波を検出する（トノメトリ方式）。しかしながら、これに限られるものではない。圧脈波センサ１１１は、被測定部位（例えば、左手首）を通る橈骨動脈の脈波をインピーダンスの変化として検出してもよい（インピーダンス方式）。圧脈波センサ１１１は、被測定部位のうち対応する部分を通る動脈へ向けて光を照射する発光素子と、その光の反射光（または透過光）を受光する受光素子とを備えて、動脈の脈波を容積の変化として検出してもよい（光電方式）。また、圧脈波センサ１１１は、被測定部位に当接された圧電センサを備えて、被測定部位のうち対応する部分を通る動脈の圧力による歪みを電気抵抗の変化として検出してもよい（圧電方式）。さらに、圧脈波センサ１１１は、被測定部位のうち対応する部分を通る動脈へ向けて電波（送信波）を送る送信素子と、その電波の反射波を受信する受信素子とを備えて、動脈の脈波による動脈とセンサとの間の距離の変化を送信波と反射波との間の位相のずれとして検出してもよい（電波照射方式）。なお、血圧を算出することができる物理量を観測することができれば、これらの以外の方式を適用してもよい。
【００７９】
また、上述の実施形態では、血圧測定装置１００は、被測定部位として左手首に装着されることが想定されているが、これに限られるものではなく例えば、右手首でもよい。被測定部位は、動脈が通っていればよく、手首以外の上腕などの上肢であってもよいし、足首、大腿などの下肢であってもよい。
【００８０】
本発明の装置は、コンピュータとプログラムによっても実現でき、プログラムを記録媒体に記録することも、ネットワークを通して提供することも可能である。  
また、以上の各装置及びそれらの装置部分は、それぞれハードウェア構成、またはハードウェア資源とソフトウェアとの組み合せ構成のいずれでも実施可能となっている。組み合せ構成のソフトウェアとしては、予めネットワークまたはコンピュータ読み取り可能な記録媒体からコンピュータにインストールされ、当該コンピュータのプロセッサに実行されることにより、各装置の機能を当該コンピュータに実現させるためのプログラムが用いられる。
【００８１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００８２】
また、上記の実施形態の一部又は全部は、以下の付記のようにも記載されうるが、以下には限られない。
【００８３】
（付記１）  
第１ハードウェアプロセッサとメモリとを備える生体情報測定装置であって、
脈波を時間的に連続して検出し、
第１生体情報を間欠的に測定し、
前記第１生体情報に基づいて前記脈波から第２生体情報を算出し、
前記第１生体情報の測定結果が正常であるかを判定することを備え、
正常であると判定されない場合には、測定を一旦中止し、ある期間経過した後に測定を再開し、それ以外の場合には測定を継続するように構成され、
前記メモリは、
前記第２生体情報を記憶する記憶部と、を備える生体情報測定装置。
【００８４】
（付記２）  
第１ハードウェアプロセッサを備えるセンサ装置と、第２ハードウェアプロセッサとメモリとを備える校正装置とを備える生体情報測定装置であって、
前記第１ハードウェアプロセッサは、
第１生体情報を間欠的に測定し、
前記第１生体情報を含むデータを前記センサ装置へ送信するように構成され、
前記第２ハードウェアプロセッサは、
脈波を時間的に連続して検出し、
前記第１生体情報を受信し、
前記第１生体情報に基づいて前記脈波から第２生体情報を算出し、
前記第１生体情報の測定結果が正常であるかを判定することを備え、
正常であると判定されない場合には、測定を一旦中止し、ある期間経過した後に測定を再開し、それ以外の場合には測定を継続するように構成され、
前記メモリは、
前記第２生体情報を記憶する記憶部と、を備える生体情報測定装置。
【００８５】
（付記３）  
少なくとも１つのハードウェアプロセッサを用いて、脈波を時間的に連続して検出し、
少なくとも１つのハードウェアプロセッサを用いて、第１生体情報を間欠的に測定し、
少なくとも１つのハードウェアプロセッサを用いて、前記第１生体情報に基づいて前記脈波から第２生体情報を算出し、
少なくとも１つのハードウェアプロセッサを用いて、前記第１生体情報の測定結果が正常であるかを判定することを備え、
少なくとも１つのハードウェアプロセッサを用いて、正常であると判定されない場合には、測定を一旦中止し、ある期間経過した後に測定を再開し、それ以外の場合には測定を継続する生体情報測定方法。
【００８６】
（付記４）  
少なくとも１つのハードウェアプロセッサを用いて、第１生体情報を間欠的に測定し、
少なくとも１つのハードウェアプロセッサを用いて、前記第１生体情報を含むデータを前記センサ装置へ送信し、
少なくとも１つのハードウェアプロセッサを用いて、脈波を時間的に連続して検出し、
少なくとも１つのハードウェアプロセッサを用いて、前記第１生体情報を受信し、
少なくとも１つのハードウェアプロセッサを用いて、前記第１生体情報に基づいて前記脈波から第２生体情報を算出し、
少なくとも１つのハードウェアプロセッサを用いて、前記第１生体情報の測定結果が正常であるかを判定し、
少なくとも１つのハードウェアプロセッサを用いて、正常であると判定されない場合には、測定を一旦中止し、ある期間経過した後に測定を再開し、それ以外の場合には測定を継続する生体情報測定方法。
【図１】
0006728474.tif 000002
【図２】
0006728474.tif 000003
【図３】
0006728474.tif 000004
【図４】
0006728474.tif 000005
【図５】
0006728474.tif 000006
【図６】
0006728474.tif 000007
【図７】
0006728474.tif 000008
【図８】
0006728474.tif 000009